【手続補正書】
【提出日】平成19年4月10日(2007.4.10)
【手続補正１】
【補正対象書類名】明細書
【補正対象項目名】発明の名称
【補正方法】変更
【補正の内容】
【発明の名称】受信装置及び受信方法
【手続補正２】
【補正対象書類名】明細書
【補正対象項目名】０００１
【補正方法】変更
【補正の内容】
【０００１】
【発明の属する技術分野】
本発明は、通信システムにおけるパケット受信装置及び受信方法に係わり、特に、パケット伝送を行う移動通信システムにおいて、伝搬路状態に応じてパケットを効率的に伝送するためのパケット受信装置及び受信方法に関する。
【手続補正３】
【補正対象書類名】明細書
【補正対象項目名】特許請求の範囲
【補正方法】変更
【補正の内容】
【特許請求の範囲】
【請求項１】
伝搬路状態に応じて送信信号のパラメータを切り替えてデータを送信し、受信側で該データを正しく受信できなかった時、該データを再送する通信システムにおけるデータ受信装置において、
送信データと再送データを受信する受信手段、
誤りを含む送信データを保存するバッファ手段、
入力データと前記再送データを合成する合成手段、
前記合成手段に入力されるべきデータを前記入力データとして前記バッファ手段から抽出する抽出手段、
を備え、前記バッファ手段から抽出されるデータのデータ長は前記再送データのデータ長に応じて前記抽出手段により制御される、
ことを特徴とするデータ受信装置。
【請求項２】
更に、合成データに基づいて復号処理する復号手段、
復号結果の正誤を判定する手段、
復号結果に誤りが含まれている場合、前記合成データを前記バッファ手段に保存する手段、
を備えることを特徴とする請求項１記載のデータ受信装置。
【請求項３】
前記抽出手段は、
前記再送データに付加されている第1のパラメータと前記バッファ手段から取り出したデータに付加されている第2のパラメータを比較する手段、
前記比較により、再送時の伝搬路状態の方が悪い場合、前記バッファ手段から取り出したデータの一部分を切り出して前記合成手段に入力する切り出し手段、
を備えたことを特徴とする請求項１または２記載のデータ受信装置。
【請求項４】
前記切り出し手段は、
前記第1のパラメータの値に基づいて再送データのデータ長を判別する手段、
前記バッファ手段から取り出したデータより前記データ長に等しい長さのデータ部分を取り出して合成手段に入力する手段、
を備えたことを特徴とする請求項３記載のデータ受信装置。
【請求項５】
前記抽出手段は、更に
前記比較により、再送時の伝搬路状態の方が良い場合、前記バッファ手段より再送合成の対象となる複数のデータを取り出して前記合成手段に入力するデータ取り出し手段、
を備えることを特徴とする請求項３記載のデータ受信装置。
【請求項６】
伝搬路状態に応じて送信信号のパラメータを切り替えてデータを送信し、受信側で該データを正しく受信できなかった時、該データを再送する通信システムにおけるデータ受信方法において、
送信データを受信し、該送信データに誤りが含まれる場合には該送信データをバッファに保存するステップ、
再送データを受信するステップ、
前記バッファに保存されているデータを該バッファから抽出すると共に、該抽出するデータのデータ長を前記再送データのデータ長に応じて制御するステップ、
前記該抽出データと前記再送データを合成するステップ、
を備えることを特徴とするデータ受信方法。
【請求項７】
更に、前記合成データに基づいて復号処理するステップ、
復号結果の正誤を判定し、復号結果に誤りが含まれている場合、前記合成データを前記バッファに保存するステップ、
を有することを特徴とする請求項６記載のデータ受信方法。
【請求項８】
前記データ抽出ステップは、
前記再送データに付加されている第1のパラメータと前記バッファから取り出したデータに付加されている第2のパラメータを比較するステップ、
前記比較により、再送時の伝搬路状態の方が悪い場合、前記バッファから取り出したデータの一部分を切り出すステップ、
を有することを特徴とする請求項６または７記載のデータ受信方法。
【請求項９】
前記切り出しステップにおいて、
前記第1のパラメータの値に基づいて再送データのデータ長を判別し、
前記バッファから取り出したデータより前記データ長に等しい長さのデータ部分を切り出す、
ことを特徴とする請求項８記載のデータ受信方法。
【請求項１０】
前記データ抽出ステップは、更に、
前記比較により、再送時の伝搬路状態の方が良い場合、前記バッファより再送合成の対象となる複数のデータを取り出すステップ、
を備えることを特徴とする請求項８記載のデータ受信方法。
【手続補正４】
【補正対象書類名】明細書
【補正対象項目名】００１８
【補正方法】変更
【補正の内容】
【００１８】
【課題を解決するための手段】
本発明の第1の態様は、伝搬路状態に応じて送信信号のパラメータを切り替えてデータを送信し、受信側で該データを正しく受信できなかった時、該データを再送する通信システムにおけるデータ受信装置であり、送信データと再送データを受信する受信手段、
誤りを含む送信データを保存するバッファ手段、入力データと前記再送データを合成する合成手段、前記合成手段に入力されるべきデータを前記入力データとして前記バッファ手段から抽出する抽出手段を備え、前記バッファ手段から抽出されるデータのデータ長は前記再送データのデータ長に応じて前記抽出手段により制御される。
上記データ受信装置は、更に、合成データに基づいて復号処理する復号手段、復号結果の正誤を判定する手段、復号結果に誤りが含まれている場合、前記合成データを前記バッファ手段に保存する手段を備えている。
上記データ受信装置において、前記抽出手段は、前記再送データに付加されている第1のパラメータと前記バッファ手段から取り出したデータに付加されている第2のパラメータを比較する手段、前記比較により、再送時の伝搬路状態の方が悪い場合、前記バッファ手段から取り出したデータの一部分を切り出して前記合成手段に入力する切り出し手段を備えている。前記切り出し手段は、
また、前記抽出手段は、更に、前記比較により、再送時の伝搬路状態の方が良い場合、前記バッファ手段より再送合成の対象となる複数のデータを取り出して前記合成手段に入力するデータ取り出し手段を備えている。
【手続補正５】
【補正対象書類名】明細書
【補正対象項目名】００１９
【補正方法】変更
【補正の内容】
【００１９】
本発明の第２の態様は、伝搬路状態に応じて送信信号のパラメータを切り替えてデータを送信し、受信側で該データを正しく受信できなかった時、該データを再送する通信システムにおけるデータ受信方法であり、送信データを受信し、該送信データに誤りが含まれる場合には該送信データをバッファに保存するステップ、再送データを受信するステップ、前記バッファに保存されているデータを該バッファから抽出すると共に、該抽出するデータのデータ長を前記再送データのデータ長に応じて制御するステップ、前記該抽出データと前記再送データを合成するステップを備えている。
上記データ受信方法は、更に、前記合成データに基づいて復号処理するステップ、復号結果の正誤を判定し、復号結果に誤りが含まれている場合、前記合成データを前記バッファに保存するステップを有している。
上記データ受信方法において、前記データ抽出ステップは、前記再送データに付加されている第1のパラメータと前記バッファから取り出したデータに付加されている第2のパラメータを比較するステップ、前記比較により、再送時の伝搬路状態の方が悪い場合、前記バッファから取り出したデータの一部分を切り出すステップを有している。
前記データ抽出ステップは、更に、前記比較により、再送時の伝搬路状態の方が良い場合、前記バッファより再送合成の対象となる複数のデータを取り出すステップを有している。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】変更
【補正の内容】
【００２２】
以上の各態様によれば、送信パラメータ(例えば変調方式)の比較を行うことで、再送パケットに対応するデータをバッファから抽出し、再送合成することができ、これにより、度重なるパケット受信失敗を防ぐことが可能となり、また過剰な無線リソース割当てを防止することができ、効率的に無線リソースを使用することが可能となる。
【手続補正９】
【補正対象書類名】明細書
【補正対象項目名】００５６
【補正方法】変更
【補正の内容】
【００５６】
【発明の効果】
以上本発明によれば、送信パラメータ(例えば変調パラメータ)の比較を行うことで、再送パケットに対応するデータをバッファから抽出し、再送合成することができ、これにより、度重なるパケット受信失敗を防ぐことが可能となり、また過剰な無線リソース割当てを防止することができ、効率的に無線リソースを使用することが可能となる。
本発明によれば、受信局側に送信パラメータを比較する機能を設け、バッファより適切なデータを取り出し、合成を行うことができるため、パケットの初回送信時と再送時の伝搬路状態が異なっている場合でも、再送時の伝搬路状態に合わせたパケット送受信が可能となり、度重なるパケット受信失敗を防ぐことが可能となる。または、過剰な無線リソースの使用を防止することが可能となる。